(57)【特許請求の範囲】
【請求項１】
ヘッド１がフェース面壁部２と該フェース面壁部２の背面８の下端縁に沿ってトウ・ヒール方向に形成される背面膨出状底肉部４とを有しているアイアンクラブセットに於て、上記ヘッド１を水平面20に正規のアドレス姿勢となるように載置して該ヘッド１をフェース面３と直角な鉛直面にて切断したときに、上記底肉部４の前後寸法Ｗが最大となるトウ・ヒール方向位置と、該底肉部４の高さ寸法Ｈが最大となるトウ・ヒール方向位置と、該底肉部４の断面積が最大となるトウ・ヒール方向位置を、番手が大きくなるにつれて順次乃至段階的にヒール側へ移動させ、さらに、上記ヘッド１が、背面８側に凹窪部５を有していることを特徴とするアイアンクラブセット。
【発明の詳細な説明】
【０００１】
【発明の属する技術分野】
本発明は、アイアンクラブセットに関する。
【０００２】
【従来の技術】
ゴルフクラブのアイアンセットにおいては、一般的にロフトの小さいロングアイアンほどいわゆる「ヘッドが返り難い」、つまり打球時に打球面が右側を向いた状態になり易いと言われ、初心者等の技量が劣るものやヘッドスピードが比較的遅いゴルファーほどこの傾向は顕著である。逆にロフトの大きいショートアイアンになるとロングアイアンと同様にスウィングするとヘッドが返りすぎて、いわゆる「ひっかけ」が出易いことになる。その対策として、従来より、ヘッドの重心位置をロングアイアンほどトウ寄りにし、ショートアイアンほどヒール寄りにする工夫がなされてきた。そして、従来、以下の▲１▼〜▲４▼に示すアイアンクラブセットが公知であった。
【０００３】
▲１▼  ヘッドに本体よりも比重が大きい重量物を埋設し、その重量物の位置をロングアイアンほどトウ寄りに配し、ショートアイアンほどヒール寄りに配したもの。
▲２▼  ヘッドの外面に局部的に重量部を突設して、その重量部の位置をロングアイアンほどトウ寄りに配し、ショートアイアンほどヒール寄りに配したもの。
▲３▼  ネックの長さをロングアイアンほど短く、ショートアイアンほど長くすることで、ロングアイアンほどトウ寄りの重心になるように設計したもの。
▲４▼  打球面の形状を変化させることによりロングアイアンほどトウ寄りの重心になるように設計したもの。
【０００４】
【発明が解決しようとする課題】
しかし、▲１▼のセットでは、一般的なヘッドの重量や大きさに影響を与えない範囲で高比重の重量物を配しても、効果的に重心を移動させることはできなかった。また、▲２▼のセットの場合も、ヘッドの大きさや重量に影響を与えない範囲での形状変化では、効果的な重心移動は不可能であった。
【０００５】
また、▲３▼のセットでは、番手によってネックの長さが変わるため、ゴルファーが構えたときに違和感があるという問題があった。▲４▼のセットも、ゴルファーが構えたときに違和感が生じてしまうという問題があった。
【０００６】
そこで、本発明は、上述の問題を解決し、番手が大きくなるほど重心をヒール側に有効に移動させることができると共に、構えたときに違和感が無く、かつ、初心者やアベレージゴルファーが打撃したときに、方向性及び飛距離が安定するアイアンクラブセットを提供することを目的とする。
【０００７】
【課題を解決するための手段】
上述の目的を達成するために、本発明に係るアイアンクラブセットは、ヘッドがフェース面壁部と該フェース面壁部の背面の下端縁に沿ってトウ・ヒール方向に形成される背面膨出状底肉部とを有しているアイアンクラブセットに於て、上記ヘッドを水平面に正規のアドレス姿勢となるように載置して該ヘッドをフェース面と直角な鉛直面にて切断したときに、上記底肉部の前後寸法が最大となるトウ・ヒール方向位置と、該底肉部の高さ寸法が最大となるトウ・ヒール方向位置と、該底肉部の断面積が最大となるトウ・ヒール方向位置を、番手が大きくなるにつれて順次乃至段階的にヒール側へ移動させ、さらに、上記ヘッドが、背面側に凹窪部を有しているものである。
【０００８】
【発明の実施の形態】
以下、実施の形態を示す図面に基づき、本発明を詳説する。
【０００９】
図１は本発明に係るアイアンクラブセットを構成するうちの任意のヘッド１の実施の一形態を示す。このヘッド１は、背面側に凹窪部５を形成したアイアンヘッド（いわゆるキャビティバック形状のアイアンヘッド）であり、フェース面３を成すフェース面壁部２と、そのフェース面壁部２の背面８に外周端縁に沿って環状に形成される膨出状肉部６と、を備える。つまり、環状の膨出状肉部６の内側が凹窪部５とされる。
【００１０】
膨出状肉部６は、ソール面の大部分を成す背面膨出状底肉部４と、その底肉部４のトウ側端部から上方へ連設されるトウ側肉部（図示せず）と、底肉部４のヒール側端部から上方へ連設されるヒール側肉部（図示せず）と、トウ側肉部の上端部とヒール側肉部の上端部の間に連設される上肉部７と、から成る。つまり、このヘッド１は、フェース面壁部２の背面８の下端縁に沿ってトウ・ヒール方向に形成される背面膨出状底肉部４を有している。
【００１１】
ここで、図１は、ヘッド１を水平面20に正規のアドレス姿勢となるように載置してヘッド１をフェース面３と直角な鉛直面にて任意のトウ・ヒール方向位置で切断した状態を示しており、本発明を理解し易くするために、背面膨出状底肉部４を斜線にて示した。ヘッド１を水平面20に正規のアドレス姿勢となるように載置するとは、予め設定されたロフト角θとなるように、ヘッド１を水平面20に載置することをいうと定義する。
【００１２】
しかして、背面膨出状底肉部４の断面積Ｓが最大となるトウ・ヒール方向位置を、番手が大きくなるにつれて順次乃至段階的にヒール側へ移動させる。つまり、図３に示すように、ヘッド１のトウ端10からヒール11までのトウ・ヒール方向長さ（以下ヘッド長さということがある）をＬとし、トウ端10から背面膨出状底肉部４の断面積Ｓが最大となる位置までのトウ・ヒール方向距離をＬ1 としたときに、Ｌ1 ／Ｌを、番手が大きくなるにつれて順次乃至段階的に増加させる。
【００１３】
ここで、背面膨出状底肉部４の前辺Ｄはフェース面壁部２の背面８───即ち凹窪部５の底面５ａを前下方へ延長した面───に含まれる。そして、断面積Ｓは、背面膨出状底肉部４の上辺Ａと後辺Ｂと底辺Ｃと前辺Ｄにて包囲された部分の面積である。
【００１４】
また、断面積Ｓが最大となるトウ・ヒール方向位置を、番手が大きくなるにつれて段階的にヒール側へ移動させるとは、番手が隣合うと共に断面積Ｓが最大となるトウ・ヒール方向位置が同一とされたグループが（少なくとも１つ）存在していて、セット全体としては、断面積Ｓが最大となるトウ・ヒール方向位置が番手が大きくなるにつれてヒール側へ移動している場合をいうと定義する。
【００１５】
しかして、上述の如く断面積Ｓが最大となるトウ・ヒール方向位置を、番手が大きくなるにつれて順次乃至段階的にヒール側へ移動させるには、ヘッド長さＬが全番手にわたって一定である場合は、トウ・ヒール方向距離Ｌ1 を、番手が大きくなるにつれて順次乃至段階的に増加させればよい。また、番手が大きくなるにつれてヘッド長さＬが増加するセットや、番手が大きくなるにつれてヘッド長さＬが減少するセット等のように、セット内でヘッド長さＬが相違する場合には、Ｌ1 ／Ｌの値が番手が大きくなるにつれて順次乃至段階的に増加するように、トウ・ヒール方向距離Ｌ1 を設定すればよい。
【００１６】
また、各番手に於て、背面膨出状底肉部４の断面積Ｓをトウ・ヒール方向に沿って変化させるには、背面膨出状底肉部４の前後寸法Ｗをトウ・ヒール方向に変化させればよい。
【００１７】
ここで、前後寸法Ｗは、図１の断面における前辺Ｄとソール面との交点Ｒから後辺Ｂの最後端点Ｐまでの前後方向距離のことである。また、高さ寸法Ｈは、同断面におけるソール面の最下端点Ｅから上辺Ａとフェース面壁部２の背面８（凹窪部５の底面５ａ）との交点Ｑまでの上下方向距離のことである。
【００１８】
また、背面膨出状底肉部４の高さ寸法Ｈをトウ・ヒール方向に変化させてもよい。即ち、背面膨出状底肉部４の前後寸法Ｗと高さ寸法Ｈの両方をトウ・ヒール方向に変化させている。
【００１９】
なお、このアイアンクラブセットにおけるヘッド１としては、上述のように背面側に凹窪部５を有するキャビティバック形状のもの以外にも、例えば、図２に示すように、フェース面壁部２の背面８側に背面膨出状底肉部４のみが形成され、その底肉部４を除く背面８の略全体が平坦面状とされたヘッド１であってもよい。
【００２０】
【実施例】
本発明品としての実施例１、２のセットと、比較のための比較例１〜５のセットを実際に作製した。次の表１に、実施例１、２と比較例１〜５のロフト角、ライ角、クラブ長さ、スウィングバランスを示す。なお、実施例１、２と比較例１〜５に関して、番手が同一であるヘッドは、重量、容積、フェース面形状をほぼ同一とした。さらに、全番手にわたって、ヘッド長さＬを同一とした。
【００２１】
【表１】
0003729312.tif 000002
【００２２】
次に、ヘッド１のトウ端10から背面膨出状底肉部４の断面積Ｓが最大となる位置までのトウ・ヒール方向距離Ｌ1 と、トウ端10から背面膨出状底肉部４の前後寸法Ｗが最大となる位置までのトウ・ヒール方向距離Ｌ2 と、トウ端10から背面膨出状底肉部４の高さ寸法Ｈが最大となる位置までのトウ・ヒール方向距離Ｌ3 と、を測定した結果を表２に示す（図１〜図３参照）。
【００２３】
【表２】
0003729312.tif 000003
【００２４】
上記表２を参照しつつ説明すると、実施例１は、Ｌ1 ，Ｌ2 ，Ｌ3 を番手が大きくなるにつれて順次増加させたものである。即ち、背面膨出状底肉部の断面積Ｓが最大となるトウ・ヒール方向位置を、番手が大きくなるにつれて順次ヒール側へ移動させたものである。実施例２は、Ｌ1 ，Ｌ2 ，Ｌ3 を番手が大きくなるにつれて段階的に増加させたものである。即ち、背面膨出状底肉部の断面積Ｓが最大となるトウ・ヒール方向位置を、番手が大きくなるにつれて段階的にヒール側へ移動させたものである。また、比較例１は、Ｌ1 ，Ｌ2 を番手が大きくなるにつれて順次増加させ、かつ、Ｌ3 を一定としたものである。また、比較例２は、Ｌ1 ，Ｌ3 を番手が大きくなるにつれて順次増加させ、かつ、Ｌ2 を一定としたものである。
【００２５】
また、比較例３は、Ｌ1 ，Ｌ2 ，Ｌ3 を全番手にわたって一定としたものである。即ち、背面膨出状底肉部の断面積Ｓが最大となるトウ・ヒール方向位置を、全番手にわたって一定としたものである。比較例４は、Ｌ1 ，Ｌ2 ，Ｌ3 を番手が大きくなるにつれて段階的に減少させたものである。即ち、背面膨出状底肉部の断面積Ｓが最大となるトウ・ヒール方向位置を、番手が大きくなるにつれて段階的にトウ側へ移動させたものである。比較例５は、Ｌ1 ，Ｌ2 ，Ｌ3 を番手が大きくなるにつれて不規則に増減するように設定したものである。
【００２６】
次の表３は、実施例１、２及び比較例１〜５におけるトウ端からヘッド重心までのトウ・ヒール方向距離を示す。
【００２７】
【表３】
0003729312.tif 000004
【００２８】
上記表３より、実施例１は、番手が大きくなるにつれて重心位置がヒール側へ順次移動している。また、実施例２、比較例１、比較例２は、番手が大きくなるにつれて重心位置がヒール側へ段階的に移動している。
【００２９】
また、比較例３は、６〜７番の間、及び、８〜９番の間に於て、番手が大きくなると重心位置がトウ側へ移動し、セット全体としては重心の移動幅が小さい。また、比較例４は、番手が大きくなるにつれて重心位置がトウ側へ段階的に移動している。比較例５は、３〜４番の間、及び、５〜６番の間に於て、番手が大きくなると重心位置がトウ側へ移動している。
【００３０】
次に、実施例１、２及び比較例１〜５を使用して、技術面において平均的なアベレージゴルファー20名（ハンディキャップ15〜25であって全員右打ち）にて、打球試験を行った。その結果を表４に示す。なお、打球試験は、各セットの３、６、９番アイアンの３本を使用し、全員が各アイアンを10発ずつ打球し、各アイアンにおけるボールの飛距離の平均値と、左右方向のずれの平均値を算出した。
【００３１】
【表４】
0003729312.tif 000005
【００３２】
上記表４より、実施例１、２のセットは、アベレージゴルファーにとってスライスの出易い３番アイアンの右へのずれが最大で６ヤード（実施例１では僅か１ヤード）と小さく、左へのひっかけが出易い９番アイアンの左へのずれが最大で３ヤードと小さい。これに対し、比較例１〜５のセットでは、セット全体として左右へのずれが大きい。特に、従来の一般的なアイアンセットに相当する比較例３は、３番アイアンの右へのずれが８ヤード、９番アイアンの左へのずれが７ヤードであり、アベレージゴルファーが使用した場合の欠点が如実に現れている。このことから、実施例１、２のセットは、比較例１〜５のセットに比して、アベレージゴルファーにとって打球の左右方向のずれが小さく、ロングアイアンではスライス防止、ショートアイアンではひっかけ防止に優れていると言える。さらに、実施例１、２のセットは、比較例１〜５のセットに比して、飛距離が大きい。これは、実施例１、２の方向性が良く、「真っ直ぐ飛ぶ」ことから飛距離性能がアップしたものと推定できる。
【００３３】
次に、上記打球試験後に打球者にアンケートを実施し、各アイアンクラブセットを、表５に示す４つのアンケート項目について５点満点で評価した。表５の結果は、各アンケート項目の点数を20名分合計し、大きい点から降順に順位付けをしたものである。
【００３４】
【表５】
0003729312.tif 000006
【００３５】
上記表５より、実施例１、２は、アベレージゴルファーにとって飛距離、方向性、セットとしての良さ、及び、総合評価の全てについて、比較例１〜５よりも優れていることが分かった。
【００３６】
【発明の効果】
本発明は上述の如く構成されるので、次に記載する効果を奏する。
【００３７】
請求項１記載のアイアンクラブセットによれば、番手が大きくなるほど重心をヒール側に有効に移動させることができると共に、構えたときに違和感が無い。そして、アベレージゴルファーが使用すれば、ロングアイアンにおけるスライスを防止できると共に、ショートアイアンにおける引っかけを防止でき、初心者及びアベレージゴルファーに最適な───即ち、初心者及びアベレージゴルファーにとって打ち易さ、方向性、及び、飛距離性能に優れた───アイアンクラブセットを実現できる。
【００３８】
さらに、構えたときの違和感が全然無く、かつ、ヘッドのスウィートエリアが広くなる。従って、初心者及びアベレージゴルファーにとって一層ナイスショットが出やすいアイアンクラブセットとなる。
【図面の簡単な説明】
【図１】本発明におけるヘッドの一例を示す簡略断面図である。
【図２】他のヘッドの簡略断面図である。
【図３】簡略正面図である。
【符号の説明】
１  ヘッド
２  フェース面壁部
３  フェース面
４  背面膨出状底肉部
５  凹窪部
８  背面
20  水平面
【図１】
0003729312.tif 000007
【図２】
0003729312.tif 000008
【図３】
0003729312.tif 000009